(57)【要約】【課題】  相談者の希望条件にあった占い師の紹介。【解決手段】  複数の占い師に対応した占い師の占い師ＩＤと性別と鑑定方法と住所と電話番号とメールアドレスとを格納した占い師情報データベース２４と、占術に対応した複数の占い師ＩＤを格納した占術情報データベース２４とを備え、相談者に、問い合わせ内容／占術／鑑定方法等の項目を選択的に入力する一括問い合わせフォームを提供し、相談者から入力された占術／鑑定方法等を検索条件として合致する占い師ＩＤを取得し、該取得した占い師ＩＤを所定期間毎にランダムに所定人数の占い師ＩＤを抽出し、該抽出した占い師に、相談者が入力した前記一括問い合わせフォームにより入力した情報をメール送信するもの。【選択図】  図１
2006023861.tif 000002
【特許請求の範囲】
【請求項１】
相談者が希望する占い師の情報を提供する占い情報提供システムであって、複数の占い師に対応した占い師の占い師ＩＤと性別と鑑定方法と住所と電話番号とメールアドレスとを格納した占い師情報データベースと、占術に対応した複数の占い師ＩＤを格納した占術情報データベースとを備え、相談者に、問い合わせ内容と、占術と、鑑定方法と、占い師の性別と、占い師住所を選択的に入力する一括問い合わせフォームを提供し、相談者から入力された占術を検索条件として占術情報データベースを検索して占術が合致する占い師ＩＤを呼び出し、この呼び出した占い師ＩＤと相談者から入力された鑑定方法を検索条件として前記占い師ＩＤ及び鑑定方法を満足する占い師ＩＤを取得し、該取得した占い師ＩＤを所定期間毎にランダムに所定人数の占い師ＩＤを抽出し、該抽出した占い師ＩＤを基に前記占い師情報データベースからメールアドレスを読み出し、該メールアドレス宛に前記一括問い合わせフォームにより入力した情報をメール送信することを特徴とする占い情報提供システム。
【請求項２】
相談者が希望する占い師の情報を提供する占い情報提供方法であって、複数の占い師に対応した占い師の占い師ＩＤと性別と鑑定方法と住所と電話番号とメールアドレスとを格納した占い師情報データベースと、占術に対応した複数の占い師ＩＤを格納した占術情報データベースとを用意し、相談者に、問い合わせ内容と、占術と、鑑定方法と、占い師の性別と、占い師住所を選択的に入力する一括問い合わせフォームを提供する第１ステップと、相談者から入力された占術を検索条件として占術情報データベースを検索して占術が合致する占い師ＩＤを呼び出す第２ステップと、この呼び出した占い師ＩＤと相談者から入力された鑑定方法を検索条件として前記占い師ＩＤ及び鑑定方法を満足する占い師ＩＤを取得する第３ステップと、該取得した占い師ＩＤを所定期間毎にランダムに所定人数の占い師ＩＤを抽出する第４ステップと、該抽出した占い師ＩＤを基に前記占い師情報データベースからメールアドレスを読み出す第５ステップと、該メールアドレス宛に前記一括問い合わせフォームにより入力した情報をメール送信する第６ステップとを含むことを特徴とする占い情報提供方法。
【発明の詳細な説明】
【技術分野】
【０００１】
本発明は、多数の占い師を相談者に紹介する占い情報提供システム及び方法に係り、特に相談者の希望する占術等の条件を満足する占い師を効率よく相談者に紹介することができる占い情報管理システム及び占い情報管理方法に関する。
【背景技術】
【０００２】
一般に占いを希望する相談者が占いを受ける場合、街角に出店している個人的な占い師や、繁華街に設置されて多数の占いコーナーをテナントとするイベントビル等に出店している占い師を選択することによって鑑定を受けることや、近年においてはインターネット等の通信回線網の普及によって、ウェブ上に仮想的に出店している占い師を検索し、この占い師とインターネットや電話等を介して鑑定を受けることが行われている。
【０００３】
尚、前述の占い師をインターネット等を介して紹介する技術が記載された文献としては、例えば下記特許公報が挙げられ、この文献には、相談者より入力された紹介要求および紹介希望者の情報に応じて、紹介希望者と予め記憶部に記録されている他の紹介希望者を順次読み出し、各々の出生時における各天体の黄経間を算出し、これらの黄経間が形成する角度に応じて適合度を判定し、表示部に適合度の高い他の紹介希望者およびその適合度等を表示する様に構成されている。 
【特許文献１】特開２００３−２５６５４１号公報
【発明の開示】
【発明が解決しようとする課題】
【０００４】
前記の特許公報記載の占い師の紹介は、占い希望者の出生時における太陽系の各天体の黄経間に形成される角度等をパラメータとした西洋占星術を基に占い師を紹介するシステムのため、例えば希望者が、西洋占星術以外の占術、例えばタロット占い／四柱推命占い／姓名判断占い／東洋占い等の占術を希望する場合は、希望者の意思に沿う占い師を紹介することができないと言う不具合があった。
【０００５】
更に相談者は、占いを受ける際の鑑定方法、例えば面談による占い／イーターネットを介したチャットによる占い／同様にメールによる占い／手紙やファクシミリによる占い／相談者が占い師の場所まで出向く対面占い／逆に占い師が相談者の自宅等に出向く出張占い等の占いの鑑定方法を希望することがあり、これら希望する鑑定方法条件に沿った占い師を選択するためにはインターネット上の一般検索エンジンを用いて多数の占い師のホームページを検索し、個々のホームページ内容を参照しなければ、占い師を選択する事が困難であると言う不具合もあった。
【０００６】
更に占い師を検索する場合、通常の占い希望ではなく、例えばイベント出演可能な占い師／占いに関する原稿依頼可能な占い師／占い師の講師を捜すことや、占い師の得意分野、例えば恋愛・結婚／開運指導／カウセリング／人生相談／仕事・お金等の分野を得意とする占い師を捜すことがあり、前述の一般の検索エンジンを用いた検索では、希望とする占い師を検索することが困難であると言う不具合もあった。
【０００７】
また、例えば多数の占い師の情報をデータベースに登録しておき、相談者が入力した占術／占い鑑定方法を設定して検索することも考えられるが、単純なキーワードによる検索手法では、検索条件が合致する占い師が数多くヒットしてしまうことが考えられ、効率的な占い師を検索することが困難であると言う不具合もあった。
【０００８】
本発明の目的は、前記従来技術による不具合を除去することであり、相談者が希望する占術や占い鑑定方法等によって効率的に占い師を紹介することができる占い情報管理システム及び占い情報管理方法を提供することである。
【課題を解決するための手段】
【０００９】
前記目的を達成するため本発明は、相談者が希望する占い師の情報を提供する占い情報提供システムにおいて、複数の占い師に対応した占い師の占い師ＩＤと性別と鑑定方法と住所と電話番号とメールアドレスとを格納した占い師情報データベースと、占術に対応した複数の占い師ＩＤを格納した占術情報データベースとを備え、相談者に、問い合わせ内容と、占術と、鑑定方法と、占い師の性別と、占い師住所を選択的に入力する一括問い合わせフォームを提供し、相談者から入力された占術を検索条件として占術情報データベースを検索して占術が合致する占い師ＩＤを呼び出し、この呼び出した占い師ＩＤと相談者から入力された鑑定方法を検索条件として前記占い師ＩＤ及び鑑定方法を満足する占い師ＩＤを取得し、該取得した占い師ＩＤを所定期間毎にランダムに所定人数の占い師ＩＤを抽出し、該抽出した占い師ＩＤを基に前記占い師情報データベースからメールアドレスを読み出し、該メールアドレス宛に前記一括問い合わせフォームにより入力した情報をメール送信することを第１の特徴とする。
【００１０】
また本発明は、相談者が希望する占い師の情報を提供する占い情報提供方法において、複数の占い師に対応した占い師の占い師ＩＤと性別と鑑定方法と住所と電話番号とメールアドレスとを格納した占い師情報データベースと、占術に対応した複数の占い師ＩＤを格納した占術情報データベースとを用意し、相談者に、問い合わせ内容と、占術と、鑑定方法と、占い師の性別と、占い師住所を選択的に入力する一括問い合わせフォームを提供する第１ステップと、相談者から入力された占術を検索条件として占術情報データベースを検索して占術が合致する占い師ＩＤを呼び出す第２ステップと、この呼び出した占い師ＩＤと相談者から入力された鑑定方法を検索条件として前記占い師ＩＤ及び鑑定方法を満足する占い師ＩＤを取得する第３ステップと、該取得した占い師ＩＤを所定期間毎にランダムに所定人数の占い師ＩＤを抽出する第４ステップと、該抽出した占い師ＩＤを基に前記占い師情報データベースからメールアドレスを読み出す第５ステップと、該メールアドレス宛に前記一括問い合わせフォームにより入力した情報をメール送信する第６ステップとを含むことを第２の特徴とする。
【発明の効果】
【００１１】
本発明による占い情報提供システム及び方法は、相談者に一括問い合わせフォームを提供し、相談者が入力した占術等を検索条件として抽出した複数の占い師に前記一括問い合わせフォームに記入した情報をメール送信することによって、相談者が複数の占い師からの返信メールを受信することができ、これによって相談者に複数の占い師を紹介し、相談者は紹介された占い師から希望の占い師を選択することができる。
【発明を実施するための最良の形態】
【００１２】
以下、本発明による占い情報提供システム及び占い情報提供方法の一実施形態を図面を参照して詳細に説明する。図１は、本実施形態による占い情報提供方法を適用した占い情報提供システムの全体構成を示す図、図２は複数の占術に対応した占い師ＩＤを格納する占術情報データベースを示す図、図３は占い師ＩＤ毎の性別と担当する鑑定方法を格納した占い師情報データベースを示す図、図４は相談者からの一括問い合わせメールの書式を説明するための図、図５は本実施形態による占いサイトのトップペーシを示す図、図６は本実施形態による占いサイトのサイトマップの一部を示す図である。
【００１３】
本実施形態による占い情報提供システムを含むコンピュータシステムは、図１に示す如く、占いを希望する相談者が操作する複数の相談者ＰＣ（パーソナルコンピュータ）１０と、後述する複数の占い師が操作する複数の占い師ＰＣ１１と、該相談者ＰＣ１０及び占い師ＰＣ１１と接続されるインターネット等の公衆通信回線網１２と、該公衆通信回線網１２と接続される本実施形態の特徴である占いシステムウェブ２０とから成り、前記相談者ＰＣ１０及び占い師ＰＣ１１と占いシステムウェブ２０と間を公衆通信回線網１２により接続している。
【００１４】
前記占いシステムウェブ２０は、複数の占い師に対応した占い師の占い師ＩＤと性別と鑑定方法と住所と電話番号とメールアドレスとを格納した占い師情報データベース２４と、複数の占術を占い可能な複数の占い師ＩＤを格納した占術情報データベース２３と、相談者の氏名／住所／電話番号／ＦＡＸ番号／メールアドレス／下記の占い相談履歴／料金支払い実績等を格納した相談者情報データベース２５と、前記各データベース２３〜２５を制御して相談者からの問い合わせに対して占い師を紹介するための一括メール問い合わせ処理部２１を含む占い情報管理サーバ２１とを備える。尚、本明細書で述べる前記占術とは、占いを実施する手法であって、例えば西洋占星術／タロット占い／四柱推命占い／姓名判断占い／東洋占い等である。
【００１５】
前記占術情報データベース２３は、図２に示す如く、前記占術対応に、当該占術を担当する占い師の複数の占い師ＩＤを格納するものであって、図示の例では、例えば、「タロット占い」を担当する占い師の占い師ＩＤが「１００１」、「１１０５」「１３５４」・・・、「四柱推命」を担当する占い師ＩＤが「１５６３」「１３２６」「８５４６」・・・であることを示している。
【００１６】
一方、前記占い師情報データベース２４は、占い師の情報を格納するものであって、図３に示す如く、占い師の氏名に対応して、各占い師毎に「氏名」と、「占い師ＩＤ」と、「性別」と、担当している鑑定方法、具体的には、電話で鑑定を実施する「電話鑑定」、インターネットのメール機能を用いて鑑定を行う「メール鑑定」、インターネットのチャット機能を用いて鑑定を行う「チャット鑑定」、一般郵便物である手紙又はファクシミリを用いて鑑定を行う「手紙又はＦＡＸ鑑定」、相談者が占い師の店舗等に出向いて鑑定を実施する「対面鑑定」、占い師が相談者の元に出向いて鑑定を行う「出張鑑定」、各種イベントに出向いて鑑定イベントや講演を行う等の「イベント」等の各鑑定に対する実施の可否と、占い師の住所と、インターネット上のメールアドレスと、電話番号と、得意分野等を格納している。該得意分野とは、例えば、恋愛・結婚／カウンセリング／人生相談・将来／仕事・金運／イベント出演／占い原稿の執筆／占い講師等である。
【００１７】
この様に構成した占い情報提供システムは、相談者が相談者ＰＣ１０を用いて公衆通信回線網１２を介して占いシステムウェブ２０にアクセスすると、図５に示す如きトップページ５０が表示される。このトップページ５０は、「占いサイト」の題目の表示と共に、「タロット占い」「四柱推命占い」「風水・九星気学占い」等の複数の占術を選択するための占術選択ボタン５１〜５７と、一括メール問い合わせを行うための問い合わせボタン５９とが表示される。
【００１８】
本実施形態による占い情報提供システムは、図６に示す如く、前記図５に示した画面５０をトップページとし、この画面の下に各占術対応のトップ画面、例えば、四柱推命占いトップページ６１、タロット占いトップページ６２、霊感占いトップページ６３の如く各占術別のトップページが配置され、例えばタロット占いトップページ６２には、占い師の性別等のタイプを基に選択するための「占い師タイプで選ぶ」欄６５と、メール鑑定等の鑑定方法で占い師を選ぶための「鑑定方法で選ぶ」欄６６と、占術を指定した後に一括メール問い合わせを行うための「一括問い合わせ」欄６７とを備え、各欄対応に検索や問い合わせフォームにジャンプするためのボタン６５ａ／６６ａ／６７ａが配置されている。本実施形態による占い情報提供システムは、図６に示す如くトップページの１段下層のディレクトリに複数の占術に対応したトップページを配置することによって、インターネットにおけるロボット型の検索エンジンに各占術別のデータを登録することができ、これによって相談者による占術を指定した検索を行う際に容易にヒットすることができる。
【００１９】
前記一括メール問い合わせを行うための問い合わせボタン５９及び６７ａは、例えば相談者が占術を１つに限定せずに相談の内容（恋愛／就職等）や鑑定方法を指定して相談を行う占い師の紹介を希望する場合や、イベント出演等の通常の占いとは異なる依頼を希望する場合に使用されるものであって、この記入フォームは、例えば図４に示す如く、相談者の氏名／性別／メールアドレス／現住所（都道府県レベル）／生年月日／出生時間／電話番号等の相談者の情報を入力する欄と、具体的な問い合わせ内容、例えば恋愛・結婚／カウンセリング／人生相談・将来／仕事・金運等を選択するための「問い合わせ内容」欄と、占術を選択するための「占術」欄と、メール鑑定等の鑑定方法を記入するための「鑑定方法」欄と、占い師の性別を選択するための性別欄と、希望する予算を選択するための予算欄と、その他占い師へのリクエスト等を任意に入力するためのその他欄とが配された記入フォームである。
【００２０】
この様に構成された占い情報提供システムは、前記「占い師タイプで選ぶ」欄６５で指定した占い師のタイプによる占い師の検索と、前記「鑑定方法で選ぶ」欄６６で指定した占い師のタイプによる占い師の検索とを行い、前記検索条件に合致した占い師の情報を占い師情報データベース２４から呼び出して一覧リストを生成し、この一覧リストを公衆通信回線網１２を介して相談者ＰＣ１０により閲覧可能にウェブ上に表示する。これを見た相談者は、占い師のプロフィール等を参酌して希望の占い師を選択し、メール又は電話等の任意の方法により連絡をとり、占いの相談を行うことができる。
【００２１】
さて、本実施形態による占い情報提供システムは、前述の相談者が占い師の一覧リストから占い師を選択する方法に加え、相談者からの問い合わせメールを後述する手法によって選別した複数の占い師にメール送信を行い、占い師からの返信メールによって相談者が占い師を選択することもできる。この手順は、前記図５又は６に示した一括メール問い合わせボタン５９又は問い合わせフォームボタン６７ａのクリックによって一括問い合わせが指定された場合、図１に示した一括メール問い合わせ処理部２１ａが、前記一括問い合わせフォームに記入された各欄に入力された問い合わせ内容／占術／鑑定方法／占い師性別等を抽出し、これら相談者が希望する条件を基に占い師情報データベース２４から条件の合致する複数の占い師を抽出し、この抽出した占い師ＩＤを所定期間毎、例えば１日毎にランダムにソートし、所定人数、例えば５人の占い師ＩＤを抽出し、この抽出した占い師ＩＤに対応する占い師のメールアドレスを占い師情報データベース２４から読み出し、この読み出した占い師のメールアドレス宛に、相談者が入力した前記一括問い合わせフォームの情報をメール送信するものである。
【００２２】
このメールを受信した占い師が、相談者に何等かのアピールやアドバイスをメールによって返信することによって、相談者は複数の占い師から送られたメールを参照し、自己の希望する占い師を選択することができる。
【００２３】
この様に本実施形態による占い情報提供システムは、前述の一括問い合わせメールを選択した複数の占い師に問い合わせ内容をメール送信することによって、相談者が複数の占い師からの返信メールを受信し、該返信メールの内容を参酌することにより、希望する占術や占い鑑定方法等に応じた占い師を選択することができる。
【図面の簡単な説明】
【００２４】
【図１】本発明の一実施形態による占い情報提供方法を適用した占い情報提供システムの全体構成を示す図。
【図２】複数の占術に対応した占い師ＩＤを格納する占術情報データベースを示す図。
【図３】占い師毎の占い師ＩＤ毎の性別と可能な鑑定方法を格納した占い師情報データベースを示す図。
【図４】相談者からの一括問い合わせメールの書式を説明するための図。
【図５】本実施形態による占いサイトのトップペーシを示す図。
【図６】本実施形態による占いサイトのサイトマップの一部を示す図。
【符号の説明】
【００２５】
１０：相談者ＰＣ、１２：公衆通信回線網、２０：占いシステムウェブ、２１：占い情報管理サーバ、２１ａ：一括メール問い合わせ処理部、２３：占術情報データベース、２４：占い師情報データベース、２５：相談者情報データベース。
【図１】
2006023861.tif 000003
【図２】
2006023861.tif 000004
【図３】
2006023861.tif 000005
【図４】
2006023861.tif 000006
【図５】
2006023861.tif 000007
【図６】
2006023861.tif 000008